(57)【特許請求の範囲】
【請求項１】
養土を貯蔵するホッパ（１１）と、ホッパ（１１）に貯蔵した養土を落下させる落下位置に送る養土搬送用コンベア（１３）と、養土搬送用コンベア（１３）から落下した養土を受け取るポット（Ｐ）を受取位置に順次送るポット搬送用コンベア（２）とを備え、
前記ポット搬送用コンベア（２）は、受取位置に各ポット（Ｐ）を間歇的に送る間歇送り機構（２８）を備えると共に、前記養土搬送用コンベア（１３）は、受取位置に送られた各ポット（Ｐ）に、一回送るごとに一定量の養土を落下させる間歇送り機構（１９）を備えていることを特徴とする養土供給装置。
【請求項２】
ホッパ（１１）に貯蔵された養土が落下位置に来たことを検出するセンサー（４）を備えている請求項１記載の養土供給装置。
【請求項３】
養土搬送用コンベア（１３）の上方で少なくとも一側部に、この養土搬送用コンベア（１３）の搬送面の幅方向長さを変更可能に規制する案内体（５）を備えている請求項ｌ又は２記載の養土供給装置。
【請求項４】
ポット搬送用コンベア（２）は、複数のポット（Ｐ）を幅方向に配列可能な幅方向寸法を有すると共に、受取位置において、幅方向に配列した複数のポット（Ｐ）の各々に落下位置から落下する養土を振り分けて供給する振分体（６）を備えている請求項１〜３の何れかに記載の養土供給装置。
【発明の詳細な説明】
【０００１】
【発明の属する技術分野】
本発明は、野菜等の種子を育成する育苗トレイの各ポット内に養土を供給充填させるために用いる養土供給装置に関する。
【０００２】
【従来の技術】
従来、この種養土供給装置は、養土を貯蔵するホッパと、養土の各ポットへの充填時に連続駆動され、ホッパ内の貯蔵養土をポットが受け取る受取位置に連続状に搬送して落下させる養土搬送用コンベアと、養土のポット内への充填時に養土搬送用コンベアと同方向に連続駆動され、ポットを養土受取位置に連続状に搬送するポット搬送用コンベアとを備えている。また、前記養土搬送用コンベアの養土送り方向下流側でポットの養土受取位置近くには、該ポット内に養土を均一に拡散しながら落下供給する拡散ブラシを設けると共に、前記ポット搬送用コンベアの下流側には、ポット内に落下した養土を鎮圧する鎮圧ローラと、該鎮圧ローラで鎮圧された養土をポット内の所定高さにまで均一に押し込んで充填させる充填ブラシとをそれぞれ設けている。
【０００３】
そして、各ポット内への養土の充填作業時には、養土搬送用コンベアとポット搬送用コンベアとがそれぞれ同一方向に連続状に回行駆動されながら、前記養土搬送用コンベアでホッパ内の貯蔵養土がポットの養土受取位置へと搬送され、この受取位置で落下する養土が拡散ブラシにより拡散されながら、前記ポット搬送用コンベアで搬送されるポット内へと落下供給され、この後鎮圧ローラで鎮圧され、また、充填ブラシでポット内の養土が所定高さまで押し込まれて、ポット内に空気溜りが発生したりすることなく養土の充填が行われる。
【０００４】
また、充填ブラシでポットに供給された養土をポット高さいっぱいの位置ですり切って、ポット内に空気溜りが発生したりすることなく均一状態でポットいっぱいの養土の充填が行われる。
【０００５】
【発明が解決しようとする課題】
ところが、以上のように、養土搬送用コンベアとポット搬送用コンベアとをそれぞれ連続状に回行駆動させながら、養土を各ポット内に充填するときには、養土搬送用コンベアで搬送されて各ポットに落下供給される養土の量が不均一となり易いので、たとえ拡散ブラシや鎮圧ローラ及び充填ブラシを設けているにも拘らず、各ポットへの養土充填量が不正確となり易く、しかも、前記養土搬送用コンベアで搬送される養土がポットからオーバーフローしたりして、養土のこぼれ落ち量が多くなるため、ホッパへの養土継ぎを頻繁に行う必要があって作業性が悪い不都合もあった。
【０００６】
また、各ポットには、充填ブラシですり切ったポット高さいっぱいの量の養土が充填されるので、充填されたポットの取扱が不便であった。
【０００７】
この発明の主な目的は、各ポット内に常に一定量の養土を充填させることができ、しかも、各ポットからの養土のこぼれ落ち量を少なくし、ホッパへの養土継ぎを頻繁に行ったりする必要性をなくして作業性を高めることができる養土供給装置を提供することにある。
【０００８】
【課題を解決するための手段】
上記目的を達成するため、請求項１記載の発明は、養土を貯蔵するホッパ１１と、ホッパ１１に貯蔵した養土を落下させる落下位置に送る養土搬送用コンベア１３と、養土搬送用コンベア１３から落下した養土を受け取るポットＰを受取位置に順次送るポット搬送用コンベア２とを備え、このポット搬送用コンベア２には、受取位置に各ポットＰを間歇的に送る間歇送り機構２８を備えると共に、前記養土搬送用コンベア１３には、受取位置に送られた各ポットＰに、一回送るごとに一定量の養土を落下させる間歇送り機構１９を備えている。
【０００９】
請求項２記載の発明は、ホッパ１１に貯蔵された養土が落下位置に来たことを検出するセンサー４を備えている。
【００１０】
請求項３記載の発明は、養土搬送用コンベア１３の上方で少なくとも一側部に、この養土搬送用コンベア１３の搬送面の幅方向長さを変更可能に規制する案内体５を備えている。
【００１１】
請求項４記載の発明は、ポット搬送用コンベア２が、複数のポットＰを幅方向に配列可能な幅方向寸法を有すると共に、受取位置において、幅方向に配列した複数のポットＰの各々に落下位置から落下する養土を振り分けて供給する振分体６を備えている。
【００１２】
【発明の作用及び効果】
請求項１記載の発明によれば、各ポットＰ内への養土充填作業時に、ポット搬送用コンベア２は間歇送り機構２８で間歇駆動されながら、このポット搬送用コンベア２によりポットＰが養土搬送用コンベア１３から落下される養土を受け取る受取位置にまで間歇的に搬送されて、該受取位置でポットＰが待機する。この後、養土搬送用コンベア１３が間歇送り機構１９で間歇駆動され、その間歇駆動に伴いホッパ１１から養土搬送用コンベア１３上に落下供給された養土の一定量が、前記受取位置に待機するポットＰ内に落下されて充填される。そして、ポットＰ内に養土が充填された後、前記ポット搬送用コンベア２が間歇送り機構２８により再度間歇駆動されて、次位のポットＰが受取位置まで搬送されて待機し、また、前記養土搬送用コンベア１３が間歇送り機構１９で再度間歇駆動され、この養土搬送用コンベア１３で一定量の養土が、次位のポットＰ内に落下されて充填される。このような養土搬送用コンベア１３とポット搬送用コンベア２との駆動を繰り返しながら、各ポットＰ内に一定量の養土を落下させて充填することにより、各ポットＰ内にすり切りいっぱい量の養土を充填することなく、常に一定量の養土を正確に充填させることができ、しかも、ポットＰの容量に応じて前記養土搬送用コンベア１３による養土の間歇的な搬送量を調節することにより、ポットＰからの養土のこぼれ落ち量を少なくでき、ホッパ１１への養土継ぎを頻繁に行ったりする必要がなくなって作業性を向上させることができる。
【００１３】
請求項２記載の発明によれば、ホッパ１１に貯蔵された養土が落下位置に来たことを検出するセンサー４を備えているので、各ポットＰ内への養土充填作業を開始する場合で、ホッパ１１から養土搬送用コンベア１３上に落下供給された養土を、該コンベア１３で落下位置へと搬送したとき、この落下位置まで養土が搬送されたことを前記センサー４で検出し、その検出結果に基づいてポット搬送用コンベア２を始動させてポットＰを養土の受取位置まで搬送させることができる。つまり、養土の各ポットＰ内への充慎作業時には、着土搬送用コンベア１３で搬送される養土を、ポット搬送用コンベア２で搬送される最初のポットＰから最終のポットＰへと順次充填させ、各ポットＰ内に養土が充填されない空白部分を発生させたりすることなく、各ポットＰの全体にそれぞれ養土を均等に充填させるため、最初の充填作業開始時には、予めホッパ１１に貯蔵された養土を、養土搬送用コンベア１３で落下位置に搬送しておく必要があり、そのため、ホッパ１１から養土搬送用コンベア１３上に落下供給された養土が落下位置に搬送されているか否かをセンサー４で検出して、その検出結果に基づいて、ポット搬送用コンベア２を始動させて、最初のポットＰが受取位置に位置するように位置合わせを行い、その後、搬送養土搬送用コンベア１３とポット搬送用コンベア２とをそれぞれ間歇駆動させることにより自動運転を行うようにできる。
【００１４】
請求項３記載の発明によれば、養土搬送用コンベア１３の上方で少なくとも一側部に、この養土搬送用コンベア１３の搬送面の幅方向長さを変更可能に規制する案内体５を備えているので、幅寸法の異なるポットＰに養土の充填を行う場合でも、このポットＰの幅寸法に合わせて前記案内体５で養土搬送用コンベア１３における搬送面の幅方向長さを調節することにより、該コンベア１３で搬送される養土を確実にポットＰ内に落下させて充填することができ、この結果、如何なる幅寸法のポットＰにも養土の充填ができて、養土供給装置の汎用性を高めることができる。
【００１５】
請求項４記載の発明によれば、ポット搬送用コンベア２が複数のポットＰを幅方向に配列可能な幅方向寸法を有しているので、幅方向に配列された複数のポットＰに同時に養土の充填作業を行うことができながら、これら各ポットＰに養土搬送用コンベア１３から養土を落下させて供給するとき、各ポットＰの養土受取位置に設けた振分体６により、前記コンベア１３からの落下養土を振り分けながら各ポットＰに供給することができて、該各ポットＰ内に養土を確実かつ均一に充填させることができる。
【００１６】
【発明の実施の形態】
図１及び図２に示した養土供給装置は、養土を供給する養土供給部１と、縦横方向に複数のポットＰが配列された育苗トレイＴを前記養土供給部１に搬送するポット搬送用コンベア２と、これら養土供給部１とポット搬送用コンベア２とを支持する支持体３とを備えている。
【００１７】
この支持体３は、前記搬送用コンベア２によるトレイＴの搬送方向前後左右に立設される４本の脚部３１と、これら各脚部３１の上部側に配設される矩形状の支持枠３２とを備え、該支持枠３２の前後部位間に前記ポット搬送用コンベア２を支持させている。前記各脚部３１の下部側には、該各脚部３１の近くに旋回自由に支持されるキャスタ車輪３３と、前記各脚部３１対し伸縮可能とされた接地杆３４とをそれぞれ設け、養土供給装置の使用時には、図１で示すように各接地杆３４を各脚部３１から下方に進出させて、支持体３の全体を地面に固定し、また、養土供給装置の移動時等には、各接地杆３４を各脚部３１の上方側に後退させて各キャスタ車輪３３を接地させることにより、該各キャスタ車輪３３で自由に移動走行できるようにしている。図中、３５は前後脚部３１，３１間を連結する連結杆である。
【００１８】
前記ポット搬送用コンベア２は、前記支持枠３２間の前後部位に支持部材を介して回転自由に支持される前後一対のローラ２１，２２と、該各ローラ２１，２２の中間上下部位に回転自由に配設される２つの中間ローラ２３，２４と、これら各ローラ２１〜２４間に無端状に掛回される１つの広幅なコンベアベルト２５とを備え、このコンベアベルト２５を前記支持枠３２の下部側に支持体３６を介して取付けられた第１モータ２６に連動連結させている。また、前記コンベアべルト２５における養土供給部１の上流側には、この養土供給部１に育苗トレイＴを送り込むために、該トレイＴよりもやや長尺とされた送込み部２７を設けている。さらに、前記支持体３に設ける支持枠３２の上部側で前記コンベアベルト２５の横方向両側には、左右一対のガイド板３７を支持杆３８を介して取付け、これら各ガイド板３７により前記コンベアベルト２５で搬送される育苗トレイＴを案内するようにしている。
【００１９】
前記養土供給部１は、養土を貯蔵するホッパ１１と、該ホッパ１１の下方部に連通状に一体形成された外形大の筐体１２と、この筐体１２の内部に、ホッパ１１の養土流出口と対向し、かつ、前記ポット搬送用コンベア２と平行状に設けられる養土搬送用コンベア１３とを備えており、このコンベア１３は、前記筐体１２の前後部位に回転自由に支持される前後一対のローラ１４，１５と、該各ローラ１４，１５間に無端状に掛回されるコンベアベルト１６とを備え、このコンベアベルト１６を前記筐体１２の養土搬送方向後方内部に設けた第２モータ１７に連動連結させている。また、前記筐体１２には、そのコンベアベルト１６の養土搬送方向下流側に、該コンベアベルト１６で搬送される養土を前記トレイＴの各ポットＰ内に落下供給させるためのシュータ部１８を形成している。
【００２０】
そして、前記ポット搬送用コンベア２に、育苗トレイＴの各ポットＰを養土搬送用コンベア１３から落下される養土の受取位置へと間歇的に送る間歇送り機構２８を設け、また、前記養土搬送用コンベア１３には、前記受取位置に送られた各ポットＰに、一回送られる毎に一定量の養土を落下供給させる間歇送り機構１９を設けるのであって、図１の実施形態では、これら各間歇送り機構２８，１９として、前記ポット搬送用コンベア２及び養土搬送用コンベア１３の駆動源である第１，第２モータ２６，１７にサーボモータを使用し、この各サーボモータをデジタル制御することにより、前記ポット搬送用コンベア２と養土搬送用コンベア１３とを間歇的に駆動させるようにしている。尚、前記各間歇送り機構２８，１９としては、例えばラチェット機構等を用いて機械的に前記ポット搬送用コンベア２と養土搬送用コンベア１３とを間歇駆動させるようにしてもよい。
【００２１】
また、同図の実施形態では、前記第１モータ２６と第２モータ１７との回転駆動方向を互いに逆向きとし、この第２モータ１７で駆動される養土搬送用コンベア１３によりホッパ１１内の養土を矢印Ａ方向に搬送してシュータ部１８から下方に落下させ、一方、第１モータ２６で駆動されるポット搬送用コンベア２により育苗トレイＴを、矢印Ａとは逆向きの矢印Ｂ方向に搬送させて、その各ポットＰ内に前記シュータ部１８から落下される養土を受け取るようにしている。この構成によれば、前記シュータ部１８をポット搬送用コンベア２の搬送方向上流側に位置させることができるので、これらシュータ部１８とポット搬送用コンベア２のポット送り方向上流側に確保されるポットＰの送込み部２７との間に、養土の充填に直接寄与しないデッドスペースを設けたりすることなく、前記シュータ部１８からポット送込み部２７までの長さを短くすることができて、装置全体を小型化することができる。
【００２２】
さらに、前記養土供給部１に設ける筐体１２の内部で養土搬送用コンベア１３の下流側近くには、ホッパ１１からコンベア１３上に落下供給され、該コンベア１３で搬送される養土が下方に落下される落下位置に来たことを検出するセンサー４を設ける。具体的には、図３で明らかなように、前記センサー４として、前記筺体１２の内壁に取付けられたリミットスイッチ４１と、筺体１２の内部で養土搬送用コンベア１３の下流側近くに枢支軸４２を介して前後揺動可能に支持されたシャッタ４３と、該シャッタ４３の揺動に追従回転するように枢支軸４２上に支持されたカム板４４とを用い、前記コンベア１３で搬送される養土がシャッタ４３に至って、該シャッタ４３が揺動されたとき、これに追従してカム板４４を回転させ、該カム板４４でリミットスイッチ４１を作動させることにより、前記コンベア１３で搬送される養土が落下位置に来たことを検出するようにしている。
【００２３】
また、前記養土搬送用コンベア１３の上方側で少なくとも幅方向一側部には、該コンベア１３における養土搬送面の幅方向長さを変更可能とする案内体５を設けるのであって、図４の実施形態では、前記コンベア１３の下流上方側で幅方向両側にそれぞれ左右一対の案内体５，５を配設し、これら各案内体５の外側に概略Ｌ形状の支持板５１をボルト止めすると共に、該各支持板５１の底壁側で前後部位には、前記コンベア１３の上流側を支点とする２つの長孔５２，５３をそれぞれ形成して、この各長孔５２，５３の上方から前記筺体１２の壁部一部に向けて固定金具５４，５４を螺締するようにしている。そして、この各固定金具５４を弛緩操作して前記各案内体５を各長孔５２，５３に沿って移動させることにより、これら各案内体５を前記コンベア１３の幅方向両側に平行状に位置される同図の実線状態と、各案内体５のコンベア下流側がコンベア１３の幅方向中心に向かって傾斜する同図の仮想線状態との範囲で調節できるようにしている。
【００２４】
さらに、以上の揺動供給装置には、縦横方向に複数のポットＰが配列された育苗トレイＴを用い、また、ポット搬送用コンベア２としては前記育苗トレイＴを搬送可能な広幅のものを用いるのであって、この育苗トレイＴの幅方向に配列される一列の各ポットＰ内に養土搬送用コンベア１３から落下される養土を均等に供給するため、図５に示すように、前記筐体１２内におけるコンベア１３の養土落下軌跡上で各ポットＰの連結部と対向する上方部位に、該コンベア１３からの落下養土を各ポットＰ内に均等に振り分けて供給する正面視概略三角形状とされた複数の振分体６を、前記各ポットＰの連結部を跨ぐように軸杆６１を介して首振可能に支持させる。
【００２５】
次に、以上の養土供給装置による作用について説明する。育苗トレイＴのポットＰ内に養土を充填させるに際しては、その作業を開始するにあたって、先ず、養土供給部１に設けるホッパ１１の養土流出口から養土搬送用コンベア１３上に落下供給された養土を、該コンベア１３の駆動で落下位置へと搬送する。このとき、養土搬送用コンベア１３の下流側近くにはセンサー４が配置され、このコンベア１３で搬送される養土が落下位置に来たときには、該養土がセンサー４のシャッタ４３を押動して揺動させ、これに伴いカム板４４でリミットスイッチ４１が作動されることにより、このコンベア１３をリミットスイッチ４１からの出力で停止させて、該コンベア１３上の養土が落下位置で待機するように、このコンベア１３を自動的に確実に停止させることができる。
【００２６】
以上の準備作業を行った後には、ポット搬送用コンベア２が育苗トレイＴのポットＰを養土搬送用コンベア１３から落下される養土を受け取る受取位置にまで搬送してポットＰを受取位置に位置させる。この後、養土搬送用コンベア１３が間歇送り機構１９で間歇駆動され、その間歇駆動に伴いホッパ１１から養土搬送用コンベア１３上に落下供給された養土の一定量が、前記受取位置に待機するポットＰ内に落下されて充填される。そして、ポットＰ内に養土が充填された後、前記ポット搬送用コンベア２が間歇送り機構２８により再度間歇駆動されて、次位のポットＰが受取位置まで搬送されて待機し、また、前記養土搬送用コンベア１３が間歇送り機構１９で再度間歇駆動され、この養土搬送用コンベア１３で一定量の養土が、次位のポットＰ内に落下されて充填される。このような養土搬送用コンベア１３とポット搬送用コンベア２との駆動を繰り返しながら、各ポットＰ内に一定量の養土を落下させて充填することにより、各ポットＰ内にすり切りいっぱい量の養土を充填することなく、常に一定量の養土を正確に充填させることができ、しかも、ポットＰの容量に応じて前記養土搬送用コンベア１３による養土の間歇的な搬送量を調節することにより、ポットＰからの養土のこぼれ落ち量を少なくでき、ホッパ１１への養土継ぎを頻繁に行ったりする必要がなくなって作業性を向上させることができる。
【００２７】
また、以上のような養土搬送用コンベア１３による養土の搬送時、このコンベア１３の幅方向両側には左右一対の案内体５が設けられ、この各案内体５は、前記コンベア１３の幅方向両側に平行状に位置される図４の実線状態と、各案内体５のコンベア下流側がコンベア１３の幅方向中心に向かって傾斜する同図の仮想線状態との範囲で調節できるようになっているので、幅寸法の異なる各種育苗トレイＴの各ポットＰ内に養土を充填させる場合でも、この育苗トレイＴの幅寸法に合わせて前記各案内体５で養土搬送用コンベア１３における搬送面の幅方向長さを調節することにより、該コンベア１３で搬送される養土を確実に各ポットＰ内に落下させて充填することができ、この結果、如何なる幅寸法とされた育苗トレイＴのポットＰにも養土の充填ができて、養土供給装置の汎用性を高めることができる。尚、図４の実施形態では、前記案内体５を支持板５１に設けた各長孔５２，５３と固定金具５４，５４とで養土搬送用コンベア１３の幅方向に傾斜調節することにより、該コンベア１３における搬送面の幅方向長さを寸法の異なる各種育苗トレイＴに応じて調節できるようにしたが、本発明では、前記案内体５として予め傾斜角度の異なる複数のものを用意しておき、これら各案内体５を育苗トレイＴの幅寸法に応じて取り替えるようにしてもよい。
【００２８】
更に、以上の揺動供給装置には、縦横方向に複数のポットＰが配列された育苗トレイＴを用い、また、ポット搬送用コンベア２としては前記育苗トレイＴを搬送可能な広幅のものを用いるのであるが、前記養土搬送用コンベア１３の養土落下軌跡上で各ポットＰの連結部と対向する上方部位には、該各ポットＰの連結部を跨ぐように正面視概略三角形状とされた複数の振分体６が軸杆６１を介して設けらているので、これら各振分体６を介して前記コンベア１３からの落下養土を振り分けながら各ポットＰに供給できて、該各ポットＰ内に養土を確実かつ均一に充填させることができる。しかも、前記各振分体６は、軸杆６１を介して首振可能に支持されているので、各ポットＰのピッチ間隔が異なる各種育苗トレイＴを用いる場合でも、その各ポットＰのピッチ間隔に合わせて各振分体６の首振調節を行うことにより、各種育苗トレイＴの各ポットＰ内に養土を確実かつ均一に充填できて、養土供給装置の汎用性を高めることができる。尚、図５の実施形態では、前記各振分体６を軸杆６１を介して首振可能に支持し、これら各振分体６を各ポットＰのピッチ間隔に応じて首振調節することにより、各ポットＰ内に養土を確実かつ均一に充填させるようにしたが、本発明では、前記各振分体６として幅方向寸法の異なる複数種類のものを用意しておき、これら各振分体６を育苗トレイＴの幅寸法に応じて取り替えるようにしてもよい。
【００２９】
また、図１の実施形態では、前記ポット搬送用コンベア２におけるポットＰの養土受取位置よりも下流側、つまり前記養土供給部１のシュータ部１８よりも下流側には、該シュータ部１８からの養土が装填されたポットＰを育苗トレイＴごと上下振動させる振動板７１を備えた加振器７を配設し、この加振器７で育苗トレイＴの全体に振動を与えて各ポットＰ内の養土を均すことにより、従来の拡散ブラシや鎮圧ローラ及び充填ブラシを用いるものに較べ、構成を簡素化して全体構成を小型化としながら、各ポットＰ内に空気溜りが発生したりすることなく養土を均一状態に充填できるようにしている。
【００３０】
さらに、同図では、ポット搬送用コンベア２に設けるコンベアベルト２５の搬送方向終端側に、該コンベアベルト２５上にこぼれ落ちた養土を回収するための回収板８１をもつ回収装置８を配設して、養土供給部１からポットＰに落下供給される養土の一部が前記コンベアベルト２５上にこぼれ落ちることがあっても、また、加振器７で育苗トレイＴに振動を与えるとき、そのポットＰ内に装填された養土の一部がコンベアベルト２５上にこぼれ落ちることがあっても、前記養土回収装置８により養土を回収して再利用できるようにしている。
【００３１】
また、前記ポット搬送用コンベア２のポット搬送方向前方側には、前記回収装置８で回収された養土を前記養土供給部１のホッパ１１に戻すための揚上機９を配置しており、この揚上機９は、前記回収装置８における回収板８１の下部側に臨み、該回収板８１で回収される養土を貯溜する貯溜部９１と、この貯溜部９１内の養土を揚上させるモータ９２を備えた揚上コンベア９３と、該揚上コンベア９３で揚上された養土を前記ホッパ１１に供給するシューター９４とを備えている。また、前記揚上機９は、その貯溜部９１の下部側に一対の走行車輪９５，９５を設け、該各車輪９５により移動可能とされている。
【図面の簡単な説明】
【図１】  本発明にかかる養土供給装置の一部切欠いた側面図。
【図２】  その平面図。
【図３】  要部の拡大側面図。
【図４】  要部の拡大平断面図。
【図５】  要部の拡大縦断面図。
【符号の説明】
１１…ホッパ
１３…養土搬送用コンベア
１９…間歇送り機構
２……ポット搬送用コンベア
２８…間歇送り機構
４……センサー
５……案内体
６……振分体
Ｐ……ポット
【図１】
0003675568.tif 000002
【図２】
0003675568.tif 000003
【図３】
0003675568.tif 000004
【図４】
0003675568.tif 000005
【図５】
0003675568.tif 000006